(57)【特許請求の範囲】
【請求項１】
電柱上の荷揚げまたは電柱から荷下ろしする際の吊荷の支持に用いる電柱装着用架台であって、
前記架台は、電柱の側壁に装着される取付部材と、前記取付部材に結合される支持部材とで電柱に装着する装着部を構成し、
前記装着部は、さらに、一端が前記支持部材に装着され他端が前記電柱から外方向に突出するアーム部材と、前記アーム部材と前記支持部材とに結合され前記アーム部材の他端側に吊り器具を装着して荷揚げまたは荷下ろしする際に前記アーム部を保持する補強部材とを具備し、前記アーム部材と前記補強部材とで吊り器具を装着して荷揚げまたは荷下ろしする吊部を構成し、
前記装着部は、電柱から外したステップボルトが挿入される複数のボルト穴を上下に有する取付部材を備え、前記ステップボルトを前記取付部材の上下のボルト穴に挿入して電柱に装着するものであることを特徴とする電柱装着用架台。
【請求項２】
前記装着部は、前記ステップボルトと取付部材に換えて、頭部が前記支持部材を取付ける取付部材を有するステップボルトを前記電柱の上下のボルト穴に挿入して電柱に装着するものである請求項１に記載の電柱装着用架台。
【請求項３】
前記電柱装着用架台の装着部を、電柱のステップボルトまたはステップボルトを取付けるボルト穴を利用して電柱に装着し、前記電柱装着用架台で吊荷を支持して電柱上に荷揚げまたは電柱から荷下ろしすることを特徴とする請求項１または２に記載の電柱装着用架台を用いた吊荷の電柱装着工法。
【発明の詳細な説明】
【技術分野】
【０００１】
本発明は、例えば、携帯電話の移動体無線基地局等の重量物を電柱に設置、電柱から撤去、或いは、保守、点検、修理の際などに、部品や資材を電柱の上部に荷揚げまたは荷下ろしするために、電柱に装着して滑車やチェーンブロックなどの吊り器具を支持するための電柱装着用架台及びこの電柱装着用架台を用いた吊荷の電柱装着工法に関するものである。
【背景技術】
【０００２】
近年においては、移動体通信技術の進展によって、移動体通信用の無線基地局の整備が進んでいる。無線基地局には、設置する場所に応じて、通信用の鉄塔を新設して設置するものから、既存の建物の屋上や電柱に設置するようなタイプまで、様々な規模のものがある。
【０００３】
電柱に設置するタイプは、小型なものに限られるなど無線基地局の規模に制限はあるものの、低コストに設置でき、居住者のいるビルなどの屋上に取り付けるタイプに比べて比較的自由に作業できる利点がある。
【０００４】
電柱に移動体無線基地局の本体を設置、或いは、電柱から撤去する際には、移動式クレーンなどを用いることが多いが、保守、点検、修理の際などに部品や資材を荷揚げまたは荷下ろしする際には、例えば、図２０に示すように、複数の作業員が部品や資材を抱え、人手で作業している。
【０００５】
この図２０は、例えば、冷却装置を備えた無線基地局の蓋体１を、３人の作業員が電柱２の装着位置に荷揚げしようとしている状態を示している。通常、冷却装置が故障したときには、蓋体１を取り外して新しいものと交換する。この蓋体１は数十Ｋｇの重さがあるため、３人程度の作業員が必要であり、且つ人手では危険な作業となる。
【０００６】
従来、このような重量物を荷揚げする簡易型の荷揚装置として、例えば、特許文献１に示すように、建築現場などにおける足場の支柱に取り付けて用いる「簡易クレーン」が提案されている。また、特許文献２に示すように、足場や建物躯体に取り付けて使用する「建築材吊り上げ装置」も提案されている。
【先行技術文献】
【特許文献】
【０００７】
【特許文献１】実用新案登録第３０２３６８３号公報
【特許文献２】特開平６−１３５６７３号公報
【発明の概要】
【発明が解決しようとする課題】
【０００８】
しかしながら、上記特許文献１の簡易クレーンは、足場支柱に取り付けて使用することを前提にしており、この簡易クレーンを人手により電柱の上部へ取り付けて使用するのは困難である。また、電柱には電線が架設されているため、電柱の上部に簡易クレーンを装着すると荷揚げ時や荷下ろし時に荷やアームが電線に接触する虞もある。
【０００９】
また、上記特許文献２の建築材吊り上げ装置も、足場や建物躯体に取り付けて使用することを前提としており、上記特許文献１と同様に電柱への荷揚げには適していない。
【００１０】
本発明は、上記のような事情に鑑みてなされたもので、その目的とするところは、電柱の任意の位置や高さに簡単に装着でき、荷揚げまたは荷下ろしが容易になる電柱装着用架台及びこの電柱装着用架台を用いた吊荷の電柱装着工法を提供することにある。
【課題を解決するための手段】
【００１１】
本発明に係る電柱装着用架台は、電柱上の荷揚げまたは電柱から荷下ろしする際の吊荷
の支持に用いる電柱装着用架台であって、前記架台は、電柱の側壁に装着される取付部材
と、前記取付部材に結合される支持部材とで電柱に装着する装着部を構成し、前記装着部
は、さらに、一端が前記支持部材に装着され他端が前記電柱から外方向に突出するアーム
部材と、前記アーム部材と前記支持部材とに結合され前記アーム部材の他端側に吊り器具
を装着して荷揚げまたは荷下ろしする際に前記アーム部を保持する補強部材とを具備し、
前記アーム部材と前記補強部材とで吊り器具を装着して荷揚げまたは荷下ろしする吊部を
構成し、前記装着部は、電柱から外したステップボルトが挿入される複数のボルト穴を上下に有する取付部材を備え、前記ステップボルトを前記取付部材の上下のボルト穴に挿入して電柱に装着するものであることで、上述した課題を解決した。
【００１４】
加えて、前記装着部は、前記ステップボルトと取付部材に換えて、頭部が前記支持部材を取付ける取付部材を有するステップボルトを前記電柱の上下のボルト穴に挿入して電柱に装着するものであることで、同じく上述した課題を解決した。
【００１５】
この他、本発明に係る電柱装着用架台を用いた吊荷の電柱装着工法は、前記電柱装着用架台の装着部を、電柱のステップボルトまたはステップボルトを取付けるボルト穴を利用して電柱に装着し、前記電柱装着用架台で吊荷を支持して電柱上に荷揚げまたは電柱から荷下ろしすることで、同じく上述した課題を解決した。
【発明の効果】
【００１６】
本発明に係る電柱装着用架台によれば、電柱のステップボルトまたはステップボルトを取り付けるボルト穴を利用して電柱に装着するので、電柱の任意の位置や高さに簡単に装着でき、吊り器具で電柱上に荷揚げまたは電柱から荷下ろしする際の支持に用いることで、荷揚げまたは荷下ろしが容易になる。
【００１７】
また、電柱に装着されているステップボルトを外し、この外したステップボルトを前記ボルト穴に挿入して電柱に装着するので、電柱の任意の位置や高さに簡単に装着できる。
【００１８】
更に、電柱に装着されているステップボルトで前記取付部材を支持して電柱に装着するので、電柱の任意の位置や高さに簡単に装着できる。
【００１９】
また、電柱に装着されているステップボルトを外し、この外したステップボルトに換えて、頭部が前記支持部材を取付ける構成のステップボルトを前記取付部材のボルト穴に挿入して電柱に装着するので、電柱の任意の位置や高さに簡単に装着できる。
【００２０】
この他、本発明に係る電柱装着用架台を用いた吊荷の電柱装着工法によれば、電柱のステップボルトまたはステップボルトを取り付けるボルト穴を利用して電柱に架台を装着し、吊り器具で電柱上に荷揚げまたは電柱から荷下ろしする際の支持に用いることができるので、電柱の任意の位置や高さに簡単に装着でき、荷揚げまたは荷下ろしが容易になる。
【図面の簡単な説明】
【００２１】
【図１】本発明の第１の実施の形態に係る電柱装着用架台を示す斜視図である。
【図２】図１に示した電柱装着用架台における取付部材の構成例を示すもので、（ａ）図は図１の矢印Ａ方向から見た平面図、（ｂ）図は図１の矢印Ｂ方向から見た側面図である。
【図３】図１に示した電柱装着用架台における取付部材と支持部材との結合部の構成例を示す拡大斜視図である。
【図４】図１に示した電柱装着用架台の組み立て工程について説明するための分解斜視図である。
【図５】図１に示した電柱装着用架台で重量物を荷揚げする工程を示す斜視図である。
【図６】図１に示した電柱装着用架台で重量物を荷揚げし、電柱に引き寄せる工程を示す斜視図である。
【図７】図１に示した電柱装着用架台で重量物を荷揚げし、電柱に引き寄せた状態を示す斜視図である。
【図８】本発明の第２の実施の形態に係る電柱装着用架台を示す斜視図である。
【図９】本発明の第３の実施の形態に係る電柱装着用架台を示す斜視図である。
【図１０】本発明の第３の実施の形態に係る電柱装着用架台の変形例を示す斜視図である。
【図１１】本発明の第４の実施の形態に係る電柱装着用架台を示す斜視図である。
【図１２】本発明の第５の実施の形態に係る電柱装着用架台について説明するためのもので、取付部材の他の構成例を示しており、（ａ）図は正面図、（ｂ）図は平面図、（ｃ）図は側面図である。
【図１３】本発明の第５の実施の形態に係る電柱装着用架台の変形例を示すもので、（ａ）図は幅広吊バンドに支持部材を取り付ける状態を示す分解斜視図、（ｂ）図は幅広吊バンドに支持部材を取り付けた状態を示す斜視図である。
【図１４】本発明の第５の実施の形態に係る電柱装着用架台の変形例について説明するためのもので、取付部材の更に他の構成例を示しており、（ａ）図は正面図、（ｂ）図は平面図、（ｃ）図は側面図である。
【図１５】本発明の第５の実施の形態に係る電柱装着用架台の変形例を示すもので、（ａ）図は幅広吊バンドに支持部材を取り付ける状態を示す分解斜視図、（ｂ）図は幅広吊バンドに支持部材を取り付けた状態を示す斜視図である。
【図１６】本発明の第６の実施の形態に係る電柱装着用架台において、取付部材の更に他の構成例を示す斜視図である。
【図１７】本発明の第６の実施の形態に係る電柱装着用架台において、取付部材の更に他の構成例を示す分解斜視図である。
【図１８】本発明の第６の実施の形態に係る電柱装着用架台の変形例において、取付部材の別の構成例を示す斜視図である。
【図１９】本発明の第６の実施の形態に係る電柱装着用架台の変形例において、取付部材の別の構成例を示す分解斜視図である。
【図２０】従来における、電柱への荷揚げ作業について説明するための斜視図である。
【発明を実施するための形態】
【００２２】
以下に、本発明を実施するための形態を、図面を参照して説明する。
【００２３】
図１は、本発明の第１の実施の形態に係る電柱装着用架台１００の斜視図である。この電柱装着用架台１００は、電柱２の上部における装着位置（電線よりも下）で組み立て、ステップボルト（足場ボルト）３−１，３−２を利用して電柱２に装着し、吊り器具（図示せず）により電柱２の上部に荷揚げまたは荷下ろしする際の支持に用いるものである。
【００２４】
この電柱装着用架台１００は、取付部材４、支持部材５、アーム部材６及び補強部材７で構成されている。上記取付部材４は、本実施の形態では、一方の側面４ａがステップボルト３−１，３−２で電柱２の側壁に沿って垂直方向に装着されるＬ字アングルからなる。上記支持部材５は、上記取付部材４における電柱２の側壁から突出した他方の側面４ｂに、長手方向に平行に装着される。
【００２５】
上記アーム部材６は、一端が上記支持部材５に装着され、他端が上記電柱２から外方向、本例では水平方向に突出している。このアーム部材６の他端側の吊り器具取り付け位置には、吊り器具のズレ防止用のストッパ８−１，８−２が設けられている。上記補強部材７は、上記アーム部材６と上記支持部材５とに装着されており、上記アーム部材６の他端側に吊り器具を装着して荷揚げまたは荷下ろしする際にアーム部材６を保持するものである。
【００２６】
一例をあげると、上記支持部材５、上記アーム部材６及び上記補強部材７は、それぞれ直径４８．６ｍｍの単管パイプで形成し、上記支持部材５の長さは１２００ｍｍ、上記アーム部材６の長さは１０００ｍｍ、及び上記補強部材７の長さは７００ｍｍである。
【００２７】
上記取付部材４と上記支持部材５とは、長手方向に平行にスペーサ１２−１，１２−２を介して単クランプ１１ａ，１１ｂで結合される。また、上記支持部材５と上記アーム部材６の一端は直角クランプ１１ｃで結合され、上記支持部材５と上記補強部材７は自在クランプ１１ｄで結合され、上記アーム部材６と上記補強部材７は自在クランプ１１ｅで結合される。更に、ストッパ８−１，８−２として、アーム部材６の他端側の吊り器具の取り付け位置に直角クランプが離隔して取り付けられている。
【００２８】
図２は、図１に示した電柱装着用架台１００における取付部材４の構成例を示すもので、（ａ）図は図１の矢印Ａ方向から見た平面図、（ｂ）図は図１の矢印Ｂ方向から見た側面図である。この取付部材４は、例えば、長さが１１５０ｍｍで幅５０ｍｍのＬ字アングルからなる。
【００２９】
図２（ａ）に示すように、取付部材４における一方の側面４ａの上部には、脱着用落下防止紐９を通すための紐穴（例えば、直径２０ｍｍ）１０ａと、ステップボルト３−１を装着するための共通用ボルト穴（例えば、直径２０ｍｍ）１０ｂが設けられている。一例をあげると、上記紐穴１０ａの中心はＬ字アングルの上端から３０ｍｍの位置、上記共通用ボルト穴１０ｂの中心はＬ字アングルの上端から１００ｍｍの位置である。
【００３０】
また、下部にはコンクリート柱用ボルト穴（例えば、短辺側の直径が２０ｍｍの長穴）１０ｃとバルモント鋼管柱用ボルト穴（例えば、短辺側の直径が２０ｍｍの長穴）１０ｄが設けられている。例えば、上記コンクリート柱用ボルト穴１０ｃの中心は共通用ボルト穴１０ｂの中心から９００ｍｍ、上記バルモント鋼管柱用ボルト穴１０ｄの中心は共通用ボルト穴１０ｂの中心から１００５ｍｍの位置である。
【００３１】
これによって、コンクリート柱とバルモント鋼管柱の両方に装着可能になっている。もちろん、ステップボルト３−１，３−２の間隔や太さに応じて、各ボルト穴の位置やサイズを自由に設定すればよい。
【００３２】
一方、図２（ｂ）に示すように、取付部材４における他方の側面４ｂには、支持部材５を取り付けるためのボルト穴１０ｅ，１０ｆが設けられている。これらのボルト穴１０ｅ，１０ｆは、例えば、直径１６ｍｍであり、本例ではボルト穴１０ｅはＬ字アングルの上端から１５０ｍｍの位置、ボルト穴１０ｆはＬ字アングルの下端から１００ｍｍの位置にそれぞれ設けられている。
【００３３】
図３は、図１に示した電柱装着用架台１００における取付部材４と支持部材５との結合部の構成例を示す拡大斜視図である。支持部材５は、単クランプ１１ｂとボルト２１ａ、ナット２１ｂ及びワッシャー２１ｃにより取付部材４に取り付けられている。上記単クランプ１１ｂと取付部材４との間には、配管用炭素鋼鋼管が、スペーサ（空間補強ＳＧＰ）１２−２として介在されている。
【００３４】
図４は、図１に示した電柱装着用架台１００の組み立て工程について説明するための分解斜視図である。本電柱装着用架台１００は、図４に示すように、上記取付部材４と支持部材５とを結合した装着部１６と、上記アーム部材６と上記補強部材７を結合した吊部１７との２つの部品からなる。そして、上記取付部材４の上記紐孔１０ａには、脱着用落下防止紐９の一端が結びつけられ、アーム部材６には仮吊り紐１５が結びつけられている。
【００３５】
次に、本発明の実施の形態に係る電柱装着用架台を用いた工法について説明する。上記電柱装着用架台１００を電柱２に装着する際には、装着部１６を持ってステップボルトを使って、或いは、梯子を掛けて電柱２上の装着位置まで運び上げ、脱着用落下防止紐９を装着位置の上部のステップボルトなどに結び付けて落下を防止する。
【００３６】
続いて、装着位置の２つのステップボルト３−１，３−２を外し、取付部材４のボルト穴１０ｂ，１０ｃ（または１０ｄ）と電柱２のステップボルト３−１，３−２のボルト穴Ｈを位置合わせし、外したステップボルト３−１，３−２を使って装着部１６の取付部材４を電柱２に装着する。この際、必要に応じてワッシャーを介在させる。
【００３７】
続いて、吊部１７を装着位置に引き上げ、仮吊り紐１５を装着位置の上部のステップボルトなどに引っ掛けて吊部１７を仮吊りする。そして、仮吊りした状態で直角クランプ１１ｃと自在クランプ１１ｄをボルト、ナットなどの締結金具で固定し、図１に示したような電柱装着用架台１００を組み立てる。
【００３８】
続いて、図５に示すように、アーム部材６の他端側に滑車やチェーンブロックなどの吊り器具１３を直接、または吊ベルト１８を介して装着し、例えば、冷却装置を備えた無線基地局の蓋体１等の重量物を必要な高さまで吊り器具１３を使って荷揚げする。
【００３９】
その後、図６に示すように、吊ベルト１８と電柱２との間に引寄ベルト１４などを回し掛け、図７に示すように、引寄ベルト１４を絞って蓋体１を電柱２に引き寄せる。そして、荷揚げした蓋体１の交換作業を行う。
【００４０】
一方、荷下ろしする際には逆の手順で行えば良く、電柱装着用架台１００の分解と撤去も同様に逆の手順で行う。
【００４１】
このような構成並びに工法によれば、電柱２の装着位置で電柱装着用架台１００を組み立て、吊り器具１３を使って重量物を電柱２の上部に荷揚げまたは荷下ろしできるので、少ない作業員で安全に電柱２上に荷揚げ、或いは、荷下ろしすることができる。
【００４２】
しかも、支持部材５、アーム部材６及び補強部材７をそれぞれ単管パイプで形成し、１個の直角クランプと２個の自在クランプで結合するので、低コストに電柱装着用架台１００を構成でき、電柱２の装着位置で容易に組み立てることができる。
【００４３】
また、アーム部材６の他端側に、吊り器具１３のズレ防止用のストッパ８−１，８−２を設けたので、荷揚げ、或いは、荷下ろし時に吊り器具１３がズレたり、甚だしくズレて外れたりするのを防止でき、作業の安全性が高い。
【００４４】
更に、脱着用落下防止紐９で取付部材４または支持部材５と電柱２とを結ぶことで、電柱２上で組み立てる際や分解して撤去する際に、各部材が落下するのを防止して、安全性を高めることができる。また、仮吊り紐１５でアーム部材６と補強部材７とを吊った状態で組み立てることで、一人でも安全に組み立てることができる。
【００４５】
また、Ｌ字アングルの一方の側面に共通用、コンクリート柱用、及びバルモント鋼管柱用のボルト穴を設けることで、コンクリート柱とバルモント鋼管柱の両方に装着でき、汎用化が図れる。
【００４６】
図８は、本発明の第２の実施の形態に係る電柱装着用架台１００を示す斜視図である。この第２の実施の形態が第１の実施の形態と異なるのは、アーム部材６の一端を上記支持部材５に軸支し、水平方向に回動自在に装着した点にある。
【００４７】
他の基本的な構成は、上述した第１の実施の形態と同様であるので、同一部分に同じ符号を付してその詳細な説明は省略する。
【００４８】
このような構成によれば、アーム部材６を水平方向に回動自在に軸支することで、荷揚げ時や荷下ろし時に荷の位置をずらすことができ、作業性を向上できる。
【００４９】
また、アーム部材６の水平方向への回動を制御するラチェット機構１９を更に設ければ、水平方向への回動時にアーム部材６の揺動を抑制し、作業の容易性と安全性を高めることができる。ラチェット機構１９のロックと解除は、例えば、紐を電柱２の下部に下垂し、この紐の引き下げにより行うようにすれば、地上の作業員にも容易に操作できる。
【００５０】
図９は、本発明の第３の実施の形態に係る電柱装着用架台１００を示す斜視図である。本第３の実施の形態が第１の実施の形態と異なるのは、吊り器具１３を、電柱２に接近する方向と電柱２から離れる方向とにスライドさせるスライド機構２０を装着した点にある。
【００５１】
他の基本的な構成は、上述した第１の実施の形態と同様であるので、同一部分に同じ符号を付してその詳細な説明は省略する。
【００５２】
本例では、スライド機構２０を両端にフランジを設けた筒体２０ａで構成し、アーム部材６に挿入している。また、アーム部材６の端部にはストッパ８−１を設けている。
【００５３】
このような構成によれば、吊り器具１３を、電柱２に接近する方向と電柱２から離れる方向とにスライドさせることで、荷揚げした重量物を電柱２に装着する際に、吊り器具１３で補助しつつ装着でき、荷下ろしした重量物を電柱２から離して作業員が扱いやすくできる。
【００５４】
図１０は、本発明の第３の実施の形態に係る電柱装着用架台１００の変形例を示す斜視図である。図９に示した第３の実施の形態では、スライド機構２０を両端にフランジを設けた筒体２０ａで構成したのに対し、本例ではＵ字型の金具２２ａに滑車２２ｂの回転軸を取り付けた移動機構２２により水平方向に移動可能にしている。
【００５５】
他の基本的な構成は上述した第１、第２の実施の形態と同様であるので、同一部分に同じ符号を付してその詳細な説明は省略する。
【００５６】
このような構成によれば、吊り器具１３を、電柱２に接近する方向と電柱２から離れる方向とに容易に水平移動させることができる。よって、荷揚げした重量物を電柱２に装着する際に、吊り器具１３で補助しつつ装着でき、荷下ろしした重量物を電柱２から離して作業員が扱いやすくできる。
【００５７】
図１１は、本発明の第４の実施の形態に係る電柱装着用架台を示す斜視図である。本実施の形態は、図１に示した第１の実施の形態における吊り器具のズレ防止用のストッパ８−１と電柱２との間に、吊荷の荷重を支えるワイヤやロープなどのアーム支線２３を張設するものである。このアーム支線２３の一端は、電柱２の上部や上段のステップボルトに締結したり、所定の装着具を利用して電柱２に取り付けたりする。アーム支線２３の他端は、ストッパ８−１または８−２に締結する。ストッパ８−１に締結すると大きな荷重に耐えられるが、吊り器具を装着し難くなるような場合にはは、ストッパ８−２に締結すると良い。
【００５８】
他の基本的な構成は上述した第１の実施の形態と同様であるので、同一部分に同じ符号を付してその詳細な説明は省略する。
【００５９】
このような構成によれば、吊荷の荷重の多くをアーム支線２３で支えることができるので、電柱装着用架台１００の破損を防止しつつ、より重い吊荷に対応することができる。尚、本第４の実施の形態は、第２、第３の実施の形態やその変形例などにも同様にして適用できるのはもちろんである。
【００６０】
図１２は、本発明の第５の実施の形態に係る電柱装着用架台について説明するためのもので、取付部材の他の構成例を示しており、（ａ）図は正面図、（ｂ）図は平面図、（ｃ）図は側面図である。上述した第１乃至第４の実施の形態では、電柱２に装着されているステップボルト３−１，３−２を外し、この外したステップボルト３−１，３−２を取付部材４のボルト穴１０ｂ，１０ｃにねじ込んで電柱２に装着した。これに対し、本実施の形態では、ステップボルト３−１，３−２が電柱２に強固に装着されていて、容易に外れない場合には、ステップボルト３−１，３−２は外さずに、これらのステップボルト３−１，３−２を利用して取付部材を支持し、電柱２に装着するものである。
【００６１】
すなわち、図１３（ａ）（ｂ）に示すように、取付部材として蝶番式の幅広吊バンド２４を用いており、側面にステップボルト３−１または３−２に係止するための係止スリット２５ａ、締結部２４ａに上記支持部材５を取り付けるボルト２１ａを挿入するボルト穴２４ｂを備えている。そして、幅広吊バンド２４を開いて電柱２を挟み込み、且つステップボルト３−１（３−２）を係止スリット２５ａに挿入し、締結部２４ａをボルト２６−１，２６−２とナット２７−１，２７−２などで締結して電柱２に装着する。この幅広吊バンド２４は、所定の間隔を開けて配置されているステップボルト３−１，３−２のそれぞれに装着する。
【００６２】
また、電柱２は上部にいくに従って細くなっているので、幅広吊バンド２４の上側にできる電柱２との隙間には、図１２（ｃ）の矢印ＡＡ，ＡＢ，ＡＣ・図１３（ａ）（ｂ）に示すように、楔状の固定部材３３を少なくとも１個（本例では３個）挿入して固定すると良い。これによって、ステップボルト３−１，３−２と固定部材３３とで吊荷の荷重を支えることができる。このとき、できるだけ固定部材３３で吊荷の荷重を支えるようにすると、係止スリット２５ａの破損を防いだ好ましいものとなる。他の基本的な構成は、上述した第１乃至第４の実施の形態のいずれも適用できる。
【００６３】
このような構成であっても、上述した各実施の形態やその変形例と実質的に同様な作用効果が得られる。尚、図１４に示すように、幅広吊バンド２４のステップボルト３−１，３−２との係合スリット２５ｂは、逆Ｌ字状などの他の形状であっても良い。例えば、係合スリット２５ｂを逆Ｌ字状にした場合には、図１５（ａ）（ｂ）に示すように、ステップボルト３−１，３−２に上から挿入した後、若干回動させることにより、幅広吊バンド２４を電柱２に装着したときの上下方向のズレやガタツキを防止できる。
【００６４】
図１６は、本発明の第６の実施の形態に係る電柱装着用架台１００において、取付部材の更に他の構成例を示す斜視図である。この図１６では、図３と同様に取付部材と支持部材との結合部の構成を拡大して示している。上述した第１乃至第４の実施の形態では、電柱２に装着されているステップボルト３−１，３−２を外し、この外したステップボルト３−１，３−２を利用して電柱２に装着している。これに対し、本実施の形態では、外したステップボルト３−１，３−２のボルト穴Ｈを利用して電柱２に装着している。
【００６５】
すなわち、図１７に示すように、取付部材として頭部が板状で、支持部材５を保持している単クランプ１１ｂ側のボルト２１ａを挿入する穴３４を有する取付ボルト３０を用いる。そして、この取付ボルト３０を、取り外したステップボルト３−１，３−２に代えてボルト穴Ｈに手でねじ込んで電柱２に装着する。この際、取付ボルト３０を強くねじ込むと板状の頭部の向きが定まらないので、板状の頭部が縦位置に装着されるように締め込み具合を調整すると良い。他の基本的な構成は、上述した第１乃至第４の実施の形態のいずれも適用できる。
【００６６】
このような構成であっても、上述した第１乃至第５の実施の形態やその変形例と実質的に同様な作用効果が得られる。尚、図１８及び図１９に示すように、取付部材として、上記取付ボルト３０に代えて通常のボルト３１とＬ字状金具３２を用いることもできる。Ｌ字状金具３２は、ボルト３１を回転可能に保持している板部分と、支持部材５を保持している単クランプ１１ｂ側のボルト２１ａを挿入する穴３４を有する板部分により形成されている。板部分に配置されているボルト３１は回転可能であるが、板部分に対して進退不可能な状態で板部分に取り付けられている。このようなＬ字状金具３２を用いることで、板状の頭部の向きを考慮する必要がなくなり、ボルト３１をステップボルト３−１または３−２のボルト穴Ｈに確実に締め込むことができる。
【００６７】
以上説明したように、本発明によれば、電柱の任意の位置や高さに簡単に装着でき、荷揚げまたは荷下ろしが容易になる電柱装着用架台１００及びこの架台を用いた工法を提供できる。これによって、少ない作業員で安全に電柱上に荷揚げ、或いは、荷下ろしすることができる。具体的には、無線基地局の蓋体１（重さ数十Ｋｇ）の交換作業には、従来は３人の作業員が必要であったが、本発明の電柱装着用架台１００を用いることにより２人で作業できるようになった。
【００６８】
尚、上記第３の実施の形態とその変形例では、アーム部材６にスライド機構２０または移動機構２２を装着したが、アーム部材６を伸縮自在に構成しても良い。また、スライド機構２０の筒体２０ａのフランジをストッパとして利用し、アーム部材６にコイルバネなどを装着してスライド動作を制限すれば、荷揚げ時や荷下ろし時に吊り器具１３が水平方向にずれるのを防止できる。更に、Ｕ字型の金具２２ａとアーム部材６間にダンパーなどの緩衝機構を設けることで、同様に移動機構２２により、荷揚げ時や荷下ろし時に吊り器具１３が水平方向にずれるのを防止できる。
【００６９】
また、取付部材をＬ字アングル、幅広吊りバンド、取付ボルト、ボルトとＬ字状金具などで形成する場合を例に取って説明したが、ステップボルトまたはステップボルトを取り付けるボルト穴Ｈを利用して電柱２に装着できれば他の部材でも良い。更に、支持部材５、アーム部材６及び補強部材７をそれぞれ単管パイプで構成し、直角クランプと自在クランプで結合する例を説明したが、同様な機能を持った部材であれば単管パイプに限られるものではなく、Ｌ字アングルやＨ型鋼などを用いても良いのは勿論である。更にまた、脱着用落下防止紐を取付部材４の紐孔１０ａに結び付けたが、支持部材５やスペーサ１２−１，１２−２に結んでも良い。
【００７０】
加えて、上記第１乃至第６の実施の形態では、アーム部材６が電柱２から水平方向に突出している場合を例に取って説明したが、水平方向に限定されるものではないことは勿論である。例えば、アーム部材６の上記支持部材５に装着された一端側より、ストッパ８−１が設けられている他端側が高くなっていても良い。
【００７１】
尚、上述の説明及び図面では、上下に位置する２本のステップボルトについて記載されているが、連続する２本のステップボルトに限定されることなく、装着したい吊荷の位置に応じて、１本飛びにしても良い。また、取付部材に強度が必要なときは、上下３本のステップボルトを装着しても良い。
【産業上の利用可能性】
【００７２】
本発明に係る電柱装着用架台及びこの電柱装着用架台を用いた吊荷の電柱装着工法は、電柱のステップボルトまたはステップボルトを取り付けるボルト穴を利用して電柱の任意の位置や高さに簡単に装着でき、吊り器具により電柱の上部に荷揚げまたは荷下ろしする際の支持に用いることができ、産業上利用できるものである。
【符号の説明】
【００７３】
１…蓋体
２…電柱
３−１…ステップボルト（足場ボルト）
３−２…ステップボルト（足場ボルト）
４…取付部材
４ａ…一方の側面
４ｂ…他方の側面
５…支持部材
６…アーム部材
７…補強部材
８−１…ストッパ
８−２…ストッパ
９…脱着用落下防止紐
１０ａ…紐穴
１０ｂ…共通用ボルト穴
１０ｃ…コンクリート柱用ボルト穴
１０ｄ…バルモント鋼管柱用ボルト穴
１０ｅ…ボルト穴
１０ｆ…ボルト穴
１１ａ…単クランプ
１１ｂ…単クランプ
１１ｃ…直角クランプ
１１ｄ…直角クランプ
１１ｅ…直角クランプ
１２−１…スペーサ
１２−２…スペーサ
１３…吊り器具
１４…引寄ベルト
１５…仮吊り紐
１６…装着部
１７…吊部
１８…吊ベルト
１９…ラチェット機構
２０…スライド機構
２０ａ…筒体
２１ａ…ボルト
２１ｂ…ナット
２１ｃ…ワッシャー
２２…移動機構
２２ａ…Ｕ字型の金具
２２ｂ…滑車
２３…アーム支線
２４…幅広吊バンド（取付部材）
２４ａ…締結部
２４ｂ…ボルト穴
２５ａ…係止スリット
２５ｂ…係止スリット
２６−１…ボルト
２６−２…ボルト
２７−１…ナット
２７−２…ナット
ＡＡ…矢印
ＡＢ…矢印
ＡＣ…矢印
２８…ボルト
２９…ボルト穴
３０…取付ボルト（取付部材）
３１…ボルト（取付部材）
３２…Ｌ字状金具（取付部材）
３３…固定部材
３４…穴
３５…穴
Ｈ…ボルト穴
１００…電柱装着用架台
【図１】
0005913765.tif 000002
【図２】
0005913765.tif 000003
【図３】
0005913765.tif 000004
【図４】
0005913765.tif 000005
【図５】
0005913765.tif 000006
【図６】
0005913765.tif 000007
【図７】
0005913765.tif 000008
【図８】
0005913765.tif 000009
【図９】
0005913765.tif 000010
【図１０】
0005913765.tif 000011
【図１１】
0005913765.tif 000012
【図１２】
0005913765.tif 000013
【図１３】
0005913765.tif 000014
【図１４】
0005913765.tif 000015
【図１５】
0005913765.tif 000016
【図１６】
0005913765.tif 000017
【図１７】
0005913765.tif 000018
【図１８】
0005913765.tif 000019
【図１９】
0005913765.tif 000020
【図２０】
0005913765.tif 000021